(57)【要約】      （修正有）【課題】患者や医療機関の費用負担を軽減することのできる医療廃棄物の廃棄用器具を提供する。【解決手段】廃棄用器具は医療廃棄物を廃棄するために用いる器具であって、有底筒状で、かつ、開口部に向かって拡がるテーパ状に形成され医療廃棄物を一時的に収容する容器本体１２と、容器本体の開口部を覆い、医療廃棄物を投入する投入開口１６を有する蓋部１０とを備え、容器本体の開口部の外周に形成された雄ネジと、蓋部の内蓋１３の内周に形成され、雄ネジに螺合する雌ネジとを備えている。【選択図】図４
0003203704.tif 000002
【実用新案登録請求の範囲】
【請求項１】
医療廃棄物を廃棄するために用いる器具であって、
有底筒状で、かつ、開口部に向かって拡がるテーパ状に形成され前記医療廃棄物を収容する容器本体と、
前記容器本体の開口部を覆い、前記医療廃棄物を投入する投入開口を有する蓋部とを備え、
前記蓋部は、
前記容器本体の開口部に固定され前記投入開口を有する内蓋と、
前記内蓋の前記投入開口を閉塞する外蓋と、
前記内蓋の端部において、前記外蓋を前記内蓋に対して回転可能に支持するヒンジとを備え、
ここにおいて、前記容器本体の前記開口部の外周に形成された雄ネジと、
前記内蓋の内周に形成され前記雄ネジに螺合する雌ネジとを備えていることを特徴とする医療廃棄物の廃棄用器具。
【請求項２】
前記容器本体が前記蓋部で閉塞された容器を収容した状態で前記容器を持ち運ぶための携帯用の収容袋を更に備え、
前記収容袋は前記容器を出し入れする収容開口を閉じるファスナと、前記収容袋を吊り下げるための吊り下げ部とを備えていることを特徴とする請求項１に記載の医療廃棄物の廃棄用器具。
【考案の詳細な説明】
【技術分野】
【０００１】
本考案は医療廃棄物を大型の廃棄容器に廃棄するための廃棄用器具に関するものである。
【背景技術】
【０００２】
従来より、注射針や、シリンジ（注射筒）、注射器などを投入して廃棄するための医療廃棄物用の容器が提案されている（特許文献１，２参照）。
【先行技術文献】
【特許文献】
【０００３】
【特許文献１】実用新案登録第３１４２３８６号（要約書）
【特許文献２】実用新案登録第３１５０３１７号（要約書）
【考案の概要】
【０００４】
特許文献１の医療廃棄物用の容器は、針、シリンジまたは注射器などからなる医療廃棄物を収容する容器本体と、内蓋および外蓋からなる蓋部を備えている。前記内蓋には、前記廃棄物を投入するための投入開口が形成されている。前記容器本体と蓋部とは互いに固く嵌合しており、一度組み付けると分離できない構造になっている。
【０００５】
看護師や患者などの使用者は、注射器を使用する度に、前記廃棄物を前記投入開口から容器本体内に投入し、容器本体内に投入された廃棄物が所定量に達すると、外蓋を閉めて容器全体を廃棄する。
【０００６】
しかし、この容器の利用方法では廃棄する度に別の新しい容器が必要になる。そのため、患者や医療機関の費用負担が増大する。
【０００７】
したがって、本考案の目的は、患者や医療機関の費用負担を軽減することのできる医療廃棄物の廃棄用器具を提供することである。
【０００８】
本考案は医療廃棄物を廃棄するために用いる器具であって、
有底筒状で、かつ、開口部に向かって拡がるテーパ状に形成され前記医療廃棄物を一時的に収容する容器本体と、
前記容器本体の開口部を覆い、前記医療廃棄物を投入する投入開口を有する蓋部とを備え、
前記蓋部は、
前記容器本体の開口部に固定され前記投入開口を有する内蓋と、
前記内蓋の前記投入開口を閉塞する外蓋と、
前記内蓋の端部において、前記外蓋を前記内蓋に対して回転可能に支持するヒンジとを備え、
ここにおいて、前記容器本体の前記開口部の外周に形成された雄ネジと、
前記内蓋の内周に形成され前記雄ネジに螺合する雌ネジとを備えていることを特徴とする。
【０００９】
本考案において容器内に注射針等が溜った場合、蓋部を容器本体に対し回転させて、容器本体の開口部を開放する。その後、容器本体の注射針等を医療機関の大型の廃棄容器内に落下投入し、空の容器本体に蓋部を螺合させ再利用する。このように再利用することにより、患者や医療機関の費用負担が軽減される。
【図面の簡単な説明】
【００１０】
【図１】本考案の一実施例を示す本器具の背面図である。
【図２】ファスナを開いた状態で示す同器具の正面図である。
【図３】非使用状態の容器を示す斜視図である。
【図４】使用状態の容器を示す斜視図である。
【図５】蓋を取り外した容器本体の斜視図である。
【図６】図６Ａは外蓋を開いた状態で示す蓋部の斜視図、図６Ｂは外蓋を閉じた状態で示す蓋部の内周面を示す斜視図である。
【図７】廃棄作業中の容器本体の斜視図である。
【図８】図８Ａは蓋部の他の例を示す斜視図、図８Ｂは蓋部の更に他の例を示す斜視図である。
【考案を実施するための形態】
【００１１】
好ましくは、前記容器本体が前記蓋部で閉塞された容器を収容した状態で前記容器を持ち運ぶための携帯用の収容袋を更に備え、
前記収容袋は前記容器を出し入れする収容開口を閉じるファスナと、前記収容袋を吊り下げるための吊り下げ部とを備えている。
【００１２】
この場合、携帯用の収容袋に前記容器を収容し、持ち運ぶことができる。
【実施例】
【００１３】
以下、本考案に係る医療廃棄物用の容器の一実施例を図面にしたがって説明する。
【００１４】
図３に示す容器１は、注射針、シリンジまたは注射器などの医療廃棄物を廃棄するために用いる容器である。容器１は医療廃棄物を一時的に収容するための容器本体１２と、図６の内蓋１３および外蓋１４からなる蓋部１０とを備えている。前記容器本体１２はテーパ円筒状である。なお、容器本体１２は有底筒状であればよく、角筒状であってもよい。
【００１５】
図６Ａおよび図６Ｂに示すように、前記内蓋１３および外蓋１４は一体に成形され、内蓋１３と外蓋１４の間には、つまり内蓋１３の端部１３ｓには、樹脂製のヒンジ１５が形成されている。内蓋１３は、図５の容器本体１２の上部の開口部１２ｂを覆うようにネジ込まれており（図３参照）、図６Ａの外蓋１４は前記ヒンジ１５を中心に内蓋１３に対し回転可能となっている。
【００１６】
図５の前記容器本体１２の前記開口部１２ｂの外周面には雄ネジ２１が形成されている。一方、図６Ｂの前記内蓋１３の内周面には雄ネジ２１に螺合する雌ネジ２０が部分的に形成されている。
【００１７】
図４の前記内蓋１３は、その上面に前記廃棄物が投入される投入開口１６が形成されている。図８Ｂのように内蓋１３は小さい投入開口１６や、注射針の取り外しに用いる有底の取り外し凹部１７などを備えていてもよい。前記廃棄物を投入開口１６から容器１の内部に投入するには、図４に示す外蓋１４を開いた状態で行う。
なお、図４の投入開口１６には図８Ａのアタッチメント５０が装着されてもよい。
【００１８】
図４は容器１の使用状態を示し、図３は容器１の非使用状態または未使用の状態を示す。
【００１９】
図３の状態においては、図４の外蓋１４が内蓋１３に樹脂弾性により緩く嵌合する。そのため、図３の非使用状態では図４の投入開口１６を閉じることができる一方で、図４の使用状態と図３の非使用状態とに繰り返し設定することができる。
【００２０】
本例の廃棄用器具は図２の前記容器本体１２が前記蓋部１０で閉塞された容器１を収納した状態で前記容器１を持ち運ぶための携帯用の収容袋３を更に備える。前記収容袋３は前記容器１を出し入れする収容開孔３０を閉じるファスナ３１と、前記収容袋３をリュックやカバンなどの把手などに吊り下げるための図１の吊り下げ部３２とを備える。
【００２１】
吊り下げ部３２はループ状に形成されたバンド３３を連結自在に連結するための連結具３４を備えている。前記連結具３４の連結を外したりすることにより、バンド３３を介して収容袋３をカバンの把手などに吊り下げることができる。
【００２２】
つぎに、本廃棄用器具の使用方法の例について説明する。
【００２３】
例えば糖尿病の患者自身が用いる場合について説明する。
日々は、図３の外蓋１４を図４のように開きインスリンなどの注射を患者自身が行った後、使用済みの注射針と一体のシリンジを図４の容器１の投入開口１６から容器本体１２内に投入する。投入後、前記外蓋１４を閉じる。
【００２４】
これを日々繰り返し、診察や透析のために医療機関を訪れる際には、図２のように収容袋３に容器１を収容しファスナ３１を閉じ、図１の連結具３４を外してリュックやカバンの把手などに吊り下げ部３２を介して収容袋３を吊り下げる。
【００２５】
医療機関に到着したら、当該機関が指定する医療廃棄物用の大型容器に前記廃棄物のみを廃棄する。すなわち、図１の収容袋３から図２の容器１を取り出し図５の容器本体１２から図６Ｂの蓋部１０を取り外し、図７のように、容器本体１２から前記大型容器に廃棄物（内容物）を落下投入する。
【００２６】
この後、図６Ｂの蓋部１０を図５の容器本体１２にネジ込んで一体の空の容器１（図３）を図２のように収容袋３内に収容し、ファスナ３１を閉じて容器１を前述と同様にカバン等に吊り下げて持ち帰る。
【００２７】
こうして、患者は容器１を繰り返し使用することができる。したがって、患者の費用負担が軽減されると共に、不法投棄を防止し得る。
【００２８】
別の例として、訪問看護の看護師等が用いる場合について説明する。
【００２９】
訪問看護に際し、看護師は、予め、図２の空の容器１を収容袋３に入れ、図１の吊り下げ部３２がカバンの把手につり下がった状態にしておく。
【００３０】
この状態で収容袋３を携帯し、看護師は患者宅などを訪問する。訪問中に、看護師は予め決められた注射などの医療行為を行う。
【００３１】
その際に、医療廃棄物が生じる場合、図２の収容袋３がカバンに吊り下がったままの状態で容器１を取り出し図４の投入開口１６から廃棄物を容器本体１２内に投入する。
【００３２】
その後、図４の外蓋１４を閉じ、容器１を図２の収容袋３内に入れファスナ３１を閉じる。所定の患者について、これらの行為を繰り返し、図１のバンド３３をカバン等に吊り下げた状態で事務所に戻る。
【００３３】
事務所に戻ったら、図２の容器１を収容袋３から取り出し、図５のように蓋部１０（図６Ｂ）を外し、図７の容器本体１２から所定の大型容器に廃棄物を落下投入する。
【００３４】
前記投入後、図２のように容器１を収容袋３に収容して、次回の出張看護に備える。
【００３５】
なお、収容袋３は院内等において看護師等が衣服等の腰の部分に吊り下げ、院内等において用いることもできる。
【産業上の利用可能性】
【００３６】
本考案の廃棄用器具は、廃棄物を廃棄するための道具として繰り返し用いる事ができる。
【符号の説明】
【００３７】
１：容器
１０：蓋部  １２：容器本体  １２ｂ：開口部  １３：内蓋  １３ｓ：端部
１４：外蓋  １５：ヒンジ  １６：投入開口  １７：凹部
２０：雌ネジ  ５１：雄ネジ
３：収容袋  ３０：収容開口  ３１：ファスナ  ３２：吊り下げ部  ３３：バンド
３４：連結具
【図１】
0003203704.tif 000003
【図２】
0003203704.tif 000004
【図３】
0003203704.tif 000005
【図４】
0003203704.tif 000006
【図５】
0003203704.tif 000007
【図６】
0003203704.tif 000008
【図７】
0003203704.tif 000009
【図８】
0003203704.tif 000010